【手続補正書】
【提出日】平成19年11月21日(2007.11.21)
【手続補正１】
【補正対象書類名】特許請求の範囲
【補正対象項目名】全文
【補正方法】変更
【補正の内容】
【特許請求の範囲】
【請求項１】
遊離の酸又は塩形態、並びにそれらの混合物としての、次の式（Ｉ）の染料：
【化１】
2007518852.tif 000001
（式中、
Ｒ1は、Ｈ；Ｃ1〜4アルキル；置換されたＣ1〜4アルキル；フェニル又は置換されたフェニルであり、
Ｒ2は、Ｈ；Ｃ1〜4アルキル；置換されたＣ1〜4アルキル；Ｃ1〜4アルコキシ；−ＣＯＯＨ；−ＣＯＯＣＨ3；−ＣＦ3；−ＳＯ3Ｈ，−ＣＮ又はＳＯ2ＮＨＲ6であり、
ここで、Ｒ6は、Ｈ、Ｃ1〜4アルキル、フェニル又は置換されたフェニルであり、そして
Ｘ1は、ＮＲ3Ｒ4；ＳＲ5；ＯＨであり、
Ｘ2は、ＮＲ3Ｒ4；ＳＲ5；ＯＨであり、
ここで、
Ｒ3は、Ｈ；Ｃ1〜4アルキル；置換されたＣ1〜4アルキル；置換されたフェニル、ナフチル又は置換されたナフチルであり、
Ｒ4は、Ｈ；Ｃ1〜4アルキル；置換されたＣ1〜4アルキル；置換されたフェニル、ナフチル又は置換されたナフチルであり、あるいは、
Ｒ3及びＲ4は、Ｎ、Ｏ又はＳに加えて、１個又は２個のヘテロ原子を含む５又は６員環を形成し、ここで、当該複素環は、未置換か又は１個若しくは２個のＣ1〜4アルキル基で置換されており、
Ｒ5は、Ｃ1〜4アルキル；置換されたＣ1〜4アルキル；フェニル又は置換されたフェニルであり、そしてＸ1は、Ｘ1又はＸ2がＳＲ5又はＯＨを表す場合を除いて、Ｘ2の意味を有さず、そして
Ｚ1は、Ｈ；Ｃ1〜4アルキル；置換されたＣ1〜4アルキル；Ｃ1〜4アルコキシ；−ＯＨ；−ＣＯＯＨ；−ＣＯＯＣＨ3；−ＣＦ3；−ＳＯ3Ｈ；アミノ；アルキルアミノ；−ＣＮ又はＳＯ2ＮＨＲ’6であり、
ここで、Ｒ’6は、Ｈ、Ｃ1〜4アルキル、フェニル又は置換されたフェニルであり、
Ｚ2は、Ｈ；Ｃ1〜4アルキル；置換されたＣ1〜4アルキル；Ｃ1〜4アルコキシ；−ＯＨ；−ＣＯＯＨ；−ＳＯ3Ｈであり、
Ｚ3は、Ｈ；Ｃ1〜4アルキル；置換されたＣ1〜4アルキル；Ｃ1〜4アルコキシ；−ＯＨ；−ＣＯＯＨ；−ＳＯ3Ｈである）。
【請求項２】
遊離の酸又は塩形態、並びにそれらの混合物としての、下記；
Ｒ1は、Ｈ；Ｃ1〜4アルキル；置換されたＣ1〜4アルキルであり、
Ｒ2は、Ｈ；Ｃ1〜4アルキル；置換されたＣ1〜4アルキル；Ｃ1〜4アルコキシ；−ＣＯＯＨ又は−ＳＯ3Ｈであり、そして
Ｘ1は、ＮＲ3Ｒ4；ＳＲ5；ＯＨであり、
Ｘ2は、ＮＲ3Ｒ4；ＳＲ5；ＯＨであり、
ここで、
Ｒ3は、Ｈ；Ｃ1〜4アルキル；置換されたＣ1〜4アルキル；置換されたフェニル、ナフチル又は置換されたナフチルであり、
Ｒ4は、Ｈ；Ｃ1〜4アルキル；置換されたＣ1〜4アルキル；置換されたフェニル、ナフチル又は置換されたナフチルであり、あるいは、
Ｒ3及びＲ4は、Ｎ、Ｏ又はＳに加えて、１個又は２個のヘテロ原子を含む５又は６員環を形成し、ここで、当該複素環は、未置換か又は１個若しくは２個のＣ1〜4アルキル基で置換されており、
Ｒ5は、Ｃ1〜4アルキル；置換されたＣ1〜4アルキル；フェニル又は置換されたフェニルであり、そしてＸ1は、Ｘ1又はＸ2がＳＲ5又はＯＨを表す場合を除いて、Ｘ2の意味を有さず、そして
Ｚ1は、Ｈ；Ｃ1〜4アルキル；置換されたＣ1〜4アルキル；Ｃ1〜4アルコキシ；−ＯＨ；−ＣＯＯＨ；−ＣＯＯＣＨ3；−ＣＦ3；−ＳＯ3Ｈ；アミノ；アルキルアミノ；−ＣＮ又はＳＯ2ＮＨＲ’6であり、
ここで、Ｒ’6は、Ｈ、Ｃ1〜4アルキル、フェニル又は置換されたフェニルであり、
Ｚ2は、Ｈ；Ｃ1〜4アルキル；置換されたＣ1〜4アルキル；Ｃ1〜4アルコキシ；−ＯＨ；−ＣＯＯＨ；−ＳＯ3Ｈであり、
Ｚ3は、Ｈ；Ｃ1〜4アルキル；置換されたＣ1〜4アルキル；Ｃ1〜4アルコキシ；−ＯＨ；−ＣＯＯＨ；−ＳＯ3Ｈである、
ことを特徴とする、請求項１に記載の染料。
【請求項３】
遊離の酸又は塩形態、並びにそれらの混合物としての、次の式（Ｉａ）：
【化２】
2007518852.tif 000002
（式中、
Ｒ1は、Ｈ；Ｃ1〜4アルキル；置換されたＣ1〜4アルキルであり、
Ｒ2は、Ｈ；Ｃ1〜4アルキル；置換されたＣ1〜4アルキル；Ｃ1〜4アルコキシ；−ＣＯＯＨ又は−ＳＯ3Ｈであり、そして
Ｘ1は、ＮＲ3Ｒ4；ＳＲ5；ＯＨであり、
Ｘ2は、ＮＲ3Ｒ4；ＳＲ5；ＯＨであり、
ここで、
Ｒ3は、Ｈ；Ｃ1〜4アルキル；置換されたＣ1〜4アルキル；置換されたフェニル、ナフチル又は置換されたナフチルであり、
Ｒ4は、Ｈ；Ｃ1〜4アルキル；置換されたＣ1〜4アルキル；置換されたフェニル、ナフチル又は置換されたナフチルであり、あるいは、
Ｒ3及びＲ4は、Ｎ、Ｏ又はＳに加えて、１個又は２個のヘテロ原子を含む５又は６員環を形成し、ここで、当該複素環は、未置換か又は１個若しくは２個のＣ1〜4アルキル基で置換されており、
Ｒ5は、Ｃ1〜4アルキル；置換されたＣ1〜4アルキル；フェニル又は置換されたフェニルであり、そしてＸ1は、Ｘ1又はＸ2がＳＲ5又はＯＨを表す場合を除いて、Ｘ2の意味を有さず、そして
Ｚ1は、Ｈ；Ｃ1〜4アルキル；置換されたＣ1〜4アルキル；Ｃ1〜4アルコキシ；−ＯＨ；−ＣＯＯＨ；−ＣＯＯＣＨ3；−ＣＦ3；−ＳＯ3Ｈ；アミノ；アルキルアミノ；−ＣＮ又はＳＯ2ＮＨＲ’6であり、
ここで、Ｒ’6は、Ｈ、Ｃ1〜4アルキル、フェニル又は置換されたフェニルであり、
Ｚ2は、Ｈ；Ｃ1〜4アルキル；置換されたＣ1〜4アルキル；Ｃ1〜4アルコキシ；−ＯＨ；−ＣＯＯＨ；−ＳＯ3Ｈであり、
Ｚ3は、Ｈ；Ｃ1〜4アルキル；置換されたＣ1〜4アルキル；Ｃ1〜4アルコキシ；−ＯＨ；−ＣＯＯＨ；−ＳＯ3Ｈである）
を特徴とする、請求項１又は２に記載の染料。
【請求項４】
遊離の酸又は塩形態、並びにそれらの混合物としての、次の式（Ｉｂ）：
【化３】
2007518852.tif 000003
（式中、
Ｒ1は、Ｈ；Ｃ1〜4アルキル；置換されたＣ1〜4アルキルであり、
Ｒ2は、Ｈ；Ｃ1〜4アルキル；置換されたＣ1〜4アルキル；Ｃ1〜4アルコキシ；−ＣＯＯＨ又は−ＳＯ3Ｈであり、そして
Ｘ1は、ＮＲ3Ｒ4；ＳＲ5；ＯＨであり、
Ｘ2は、ＮＲ3Ｒ4；ＳＲ5；ＯＨであり、
ここで、
Ｒ3は、Ｈ、Ｃ1〜4アルキル；置換されたＣ1〜4アルキル；置換されたフェニル、ナフチル又は置換されたナフチルであり、
Ｒ4は、Ｈ；Ｃ1〜4アルキル；置換されたＣ1〜4アルキル；置換されたフェニル、ナフチル又は置換されたナフチルであり、あるいは、
Ｒ3及びＲ4は、Ｎ、Ｏ又はＳに加えて、１個又は２個のヘテロ原子を含む５又は６員環を形成し、ここで、当該複素環は、未置換か又は１個若しくは２個のＣ1〜4アルキル基で置換されており、
Ｒ5は、Ｃ1〜4アルキル；置換されたＣ1〜4アルキル；フェニル又は置換されたフェニルであり、そしてＸ1は、Ｘ1又はＸ2がＳＲ5又はＯＨを表す場合を除いて、Ｘ2の意味を有さず、そして
Ｚ1は、Ｈ；Ｃ1〜4アルキル；置換されたＣ1〜4アルキル；Ｃ1〜4アルコキシ；−ＯＨ；−ＣＯＯＨ；−ＣＯＯＣＨ3；−ＣＦ3；−ＳＯ3Ｈ；アミノ；アルキルアミノ；−ＣＮ又はＳＯ2ＮＨＲ’6であり、
ここで、Ｒ’6は、Ｈ、Ｃ1〜4アルキル、フェニル又は置換されたフェニルであり、
Ｚ2は、Ｈ；Ｃ1〜4アルキル；置換されたＣ1〜4アルキル；Ｃ1〜4アルコキシ；−ＯＨ；−ＣＯＯＨ；−ＳＯ3Ｈであり、
Ｚ3は、Ｈ；Ｃ1〜4アルキル；置換されたＣ1〜4アルキル；Ｃ1〜4アルコキシ；−ＯＨ；−ＣＯＯＨ；−ＳＯ3Ｈである）
を特徴とする、請求項１又は２に記載の染料。
【請求項５】
前記式（Ｉ）に従う化合物の調製方法であって、
第一の段階では、次の式（ＩＩ）；
【化４】
2007518852.tif 000004
（式中、全ての基は、前出の通りである）の化合物を、次の式（ＩＩＩ）：
【化５】
2007518852.tif 000005
の化合物と反応させて、次の式（ＩＶ）：
【化６】
2007518852.tif 000006
に従う化合物を生成させ、そして
第二の段階では、前記式（ＩＶ）の生成物を、式ＨＸ1（式中、Ｘ1は、前出の通りである）の化合物の一部と反応させ、次の式（Ｖ）：
【化７】
2007518852.tif 000007
の化合物を生成させ、そして
第三の段階では、前記式（Ｖ）の化合物を、式ＨＸ2（式中、Ｘ2は前出の通りである）の化合物と縮合させ、次の式（ＶＩ）：
【化８】
2007518852.tif 000008
（式中、Ｒ1及びＲ2は、前出の通りである）の化合物を生成させ、そして
最終段階では、前記式（ＶＩ）の化合物を、次の式（ＶＩＩ）：
【化９】
2007518852.tif 000009
の化合物のジアゾニウム塩とカップリングさせ、次の式（Ｉ）：
【化１０】
2007518852.tif 000010
（式中、全ての置換基は、前出の通りである）の染料を生成させること、
を特徴とする方法。
【請求項６】
請求項１〜４のいずれか一項に記載の化合物を少なくとも１種含むインクジェット用インク。
【請求項７】
塩の総含有率が、前記染料の総量に基づいて、０．５質量％未満であることを特徴とする、請求項６に記載のインクジェット用インク。
【請求項８】
記録材料を印刷するため、並びに／又はインクジェット印刷法の中でセルロース含有基材を染色するため及び／若しくは記録材料を印刷するための請求項１〜４のいずれか一項に記載の化合物の使用。
【請求項９】
前記記録材料が、紙又は紙様の基材であることを特徴とする、請求項８に記載の使用。
【請求項１０】
請求項１〜４のいずれか一項に記載の化合物を用いて印刷又は染色された、記録材料、又は紙様の基材、又はセルロース含有基材。
【手続補正２】
【補正対象書類名】明細書
【補正対象項目名】０００７
【補正方法】変更
【補正の内容】
【０００７】
遊離の酸又は塩形態、並びにそれらの混合物として、式（Ｉ）に従う好ましい化合物は、次の式（Ｉａ）：
【化２】
2007518852.tif 000011
（式中、
Ｒ1は、Ｈ；Ｃ1〜4アルキル；置換されたＣ1〜4アルキルであり、
Ｒ2は、Ｈ；Ｃ1〜4アルキル；置換されたＣ1〜4アルキル；Ｃ1〜4アルコキシ；−ＣＯＯＨ又は−ＳＯ3Ｈであり、そして
Ｘ1は、ＮＲ3Ｒ4；ＳＲ5；ＯＨであり、
Ｘ2は、ＮＲ3Ｒ4；ＳＲ5；ＯＨであり、
ここで、
Ｒ3は、Ｈ；Ｃ1〜4アルキル；置換されたＣ1〜4アルキル；置換されたフェニル、ナフチル又は置換されたナフチルであり、
Ｒ4は、Ｈ；Ｃ1〜4アルキル；置換されたＣ1〜4アルキル；置換されたフェニル、ナフチル又は置換されたナフチルであり、あるいは、
Ｒ3及びＲ4は、Ｎ、Ｏ又はＳに加えて、１個又は２個のヘテロ原子を含む５又は６員環を形成し、ここで、当該複素環は、未置換か又は１個若しくは２個のＣ1〜4アルキル基で置換されており、
Ｒ5は、Ｃ1〜4アルキル；置換されたＣ1〜4アルキル；フェニル又は置換されたフェニルであり、そしてＸ1は、Ｘ1又はＸ2がＳＲ5又はＯＨを表す場合を除いて、Ｘ2の意味を有さず、そして
Ｚ1は、Ｈ；Ｃ1〜4アルキル；置換されたＣ1〜4アルキル；Ｃ1〜4アルコキシ；−ＯＨ；−ＣＯＯＨ；−ＣＯＯＣＨ3；−ＣＦ3；−ＳＯ3Ｈ；アミノ；アルキルアミノ；−ＣＮ又はＳＯ2ＮＨＲ’6であり、
ここで、Ｒ’6は、Ｈ、Ｃ1〜4アルキル、フェニル又は置換されたフェニルであり、
Ｚ2は、Ｈ；Ｃ1〜4アルキル；置換されたＣ1〜4アルキル；Ｃ1〜4アルコキシ；−ＯＨ；−ＣＯＯＨ；−ＳＯ3Ｈであり、
Ｚ3は、Ｈ；Ｃ1〜4アルキル；置換されたＣ1〜4アルキル；Ｃ1〜4アルコキシ；−ＯＨ；−ＣＯＯＨ；−ＳＯ3Ｈである）
を有する。